(57)【特許請求の範囲】
【請求項１】
販売者の移動通信端末機から伝送された情報を基礎にして前記販売者の商品に対する在庫を管理する在庫管理サーバーを含み、
前記在庫管理サーバーは、
前記販売者の移動通信端末機から伝送された前記販売者の商品情報を含む文字メッセージを受信する受信部と、
販売者情報、販売商品及び前記販売商品に対する在庫状態を含むデータベースと、
前記受信部に受信された前記販売者の商品情報に相当する前記販売者の商品を前記データベースから検出し、検出された前記販売者の商品に対する在庫状態を品切れとして処理するか、または品切れ解除として処理する管理部と、を含み、
前記管理部は、前記受信部に受信された前記文字メッセージの着信番号が商品の品切れ処理を行う代表番号である場合、受信された文字メッセージの着信番号を基礎にして、販売商品の品切れ処理の在庫状態を管理することを特徴とするモバイル在庫管理サービスシステム。
【請求項２】
前記管理部は、
前記受信部に受信された前記文字メッセージが認証番号を含む場合、前記認証番号と前記データベースに保存された前記販売者の移動通信端末機に伝送された認証番号とを比較し、前記２つの認証番号が一致する場合、前記販売者の商品を前記データベースから検出することを特徴とする請求項１に記載のモバイル在庫管理サービスシステム。
【請求項３】
前記管理部は、
前記受信部に受信された前記文字メッセージが前記販売者のＩＤを含む場合、前記文字メッセージの発信番号と前記データベースに保存された前記販売者のＩＤに相当する電話番号とを比較し、前記発信番号と前記電話番号が一致する場合、前記販売者の商品情報に相当する前記販売者の商品を検出することを特徴とする請求項１に記載のモバイル在庫管理サービスシステム。
【請求項４】
前記管理部は、
前記データベースから検出された前記販売者の商品に対する在庫状態が品切れではない場合、品切れとして処理し、前記販売者の商品に対する在庫が品切れである場合、品切れ処理を解除することを特徴とする請求項１に記載のモバイル在庫管理サービスシステム。
【請求項５】
前記在庫管理サーバーは、
前記管理部の制御によって前記販売者の商品に対する品切れ処理や品切れ解除に対する結果文字メッセージを前記販売者の移動通信端末機に伝送する送信部をさらに含むことを特徴とする請求項１に記載のモバイル在庫管理サービスシステム。
【請求項６】
前記管理部は、
前記受信部に受信された前記文字メッセージに前記販売者の商品に対する数量が含まれた場合、前記販売者の商品に対する在庫状態を前記数量として処理することを特徴とする請求項１に記載のモバイル在庫管理サービスシステム。
【発明の詳細な説明】
【技術分野】
【０００１】
本発明は、モバイル在庫管理サービスに関し、詳細には、オンラインマーケットプレースに登録された販売者の販売商品に対する在庫状態を販売者の移動通信端末機を利用したモバイルを通じてリアルタイムで管理し、在庫数量による購買者の超過購買を防止し、超過購買によって発生し得る購買者の不満を事前に防止することができる移動通信端末機を利用したモバイル在庫管理サービス方法及びそのシステムに関する。
【背景技術】
【０００２】
最近、インターネットなどオンラインマーケットプレースにおいて商品やサービスの売買中継など電子商取引を運営する多くのオンラインマーケットプレースが登場している。
【０００３】
このようなオンラインマーケットプレースを通じて販売者は販売商品を登録して販売することができ、購買者もオンラインマーケットプレースに接続して所望のサービスや商品を選択して購買することができるので、宅内でも販売者が登録した多様な商品やサービスを便利に購買することができる。
【０００４】
ここで、販売者は、オンラインマーケットプレースに商品を登録する時、商品名、商品数量など商品と関連した情報を入力し、購買者は、入力された商品関連情報を確認して購買するようになる。すなわち、購買者は、販売者の多様な商品やサービスに対する登録情報を確認し、購買条件に充足されれば購買するようになる。
【０００５】
この時、販売商品の在庫数量は、販売者によって決定されるが、在庫数量が状況によって変わることもできるので、販売者は、在庫数量を管理しなければならない。
【０００６】
しかし、従来、オンラインマーケットプレースに登録された販売者の商品に対する情報は、インターネットに連結された端末機、例えば、デスクトップ、ノート・パソコンなどを利用してオンラインマーケットプレースに接続した後、販売商品に対する情報を修正することができるので、誤って登録された情報を修正するためには、インターネットに連結された端末機を使用しなければならないし、このため、誤った情報を早く修正しない場合に発生し得る問題点がある。
【０００７】
例えば、販売商品の在庫数量が間違っている場合、購買者は、在庫数量を確認した後、その在庫数量によって販売商品を購買するようになるが、実際販売できる商品数量に比べて購買者によって購買要請された数量がさらに多くなれば、販売者は、購買要請された数量に合わせることができるように、販売商品を追加的に獲得しなければならない難しさが発生し、超過購買された数量分の販売商品を獲得しない場合には、購買者によって決済された金額を返さなければならない煩わしさが発生するようになる。
【０００８】
また、購買者によって要請された購買数量を獲得しなくて、決済金額を返すようになるか、または購買数量を合わせるために長期間商品を配送しなくなれば、販売者の信頼度が低下するようになる。
【０００９】
このように販売商品に対する在庫数量に対する問題は、オンラインマーケットプレースの特性上、非常に重要である。
【００１０】
したがって、オンラインマーケットプレースにおいて販売者によって登録された販売商品に対する在庫状態をリアルタイムで管理し、超過購買などによって発生し得る問題点を解決することができる方法が要求されている。
【発明の概要】
【発明が解決しようとする課題】
【００１１】
したがって、本発明は、前述した問題点を解決するためになされたもので、その目的は、販売者の移動通信端末機を利用して販売者によってオンラインマーケットプレースに登録された商品の在庫状態をリアルタイムで管理することができるモバイル在庫管理サービス方法及びそのシステムを提供することにある。
【００１２】
本発明の他の目的は、販売者が販売商品に対する在庫状態を移動通信端末機を利用してリアルタイムで管理するようにすることで、オンライン上に登録された販売商品の在庫数量の間違いによって発生し得る購買者の超過購買を防止し、販売者の信頼度を向上させるができるモバイル在庫管理サービス方法及びそのシステムを提供することにある。
【００１３】
本発明のさらに他の目的は、販売商品の在庫数量の間違いによって発生し得る購買者の超過購買を防止することによって、販売者及び購買者の不便さを事前に防止することができるモバイル在庫管理サービス方法及びそのシステムを提供することにある。
【課題を解決するための手段】
【００１４】
上記目的を達成するために、本発明の一態様によるモバイル在庫管理サービス方法は、販売者の移動通信端末機から伝送された前記販売者の商品情報を含む文字メッセージを受信する段階と、受信された前記販売者の商品情報に相当する前記販売者の商品を検出する段階と、検出された前記販売者の商品に対する在庫を品切れとして処理するか、または品切れ解除として処理する段階とを含む。
【００１５】
この時、前記販売者の商品情報を含む文字メッセージを受信する段階は、前記販売者の移動通信端末機から伝送された前記販売者のＩＤ及び氏名を含む文字メッセージを受信する段階と、前記販売者のＩＤ及び氏名に該当する認証番号を前記販売者の移動通信端末機に伝送する段階と、前記販売者の移動通信端末機から前記認証番号及び前記販売者の商品情報を含む文字メッセージを受信する段階と、前記文字メッセージに含まれた認証番号と前記販売者の移動通信端末機に伝送された認証番号を比較する段階とを含み、前記２つの認証番号が一致すれば、前記販売者の商品情報に相当する前記販売者の商品を検出することができる。
【００１６】
この時、前記販売者の商品情報を含む文字メッセージを受信する段階は、前記販売者のＩＤ及び前記販売者の商品情報を含む文字メッセージを受信し、前記販売者の商品を検出する段階は、前記販売者のＩＤが販売者情報に含まれている場合、前記販売者の商品情報に相当する前記販売者の商品を検出することができ、前記販売者のＩＤが前記販売者情報に含まれ、前記文字メッセージの発信番号が前記販売者のＩＤに相当する電話番号と一致する場合、前記販売者の商品情報に相当する前記販売者の商品を検出することもできる。
【００１７】
この時、前記販売者の商品を検出する段階は、受信された前記文字メッセージの着信番号が商品の品切れ処理を行う代表番号である場合、前記販売者の商品を検出することができる。
【００１８】
本発明の他の態様によるモバイル在庫管理サービス方法は、ワップ（ＷＡＰ）ページを利用したモバイル在庫管理サービス方法において、前記ワップを通じて接続した販売者の移動通信端末機に商品の在庫管理ページを提供する段階と、前記商品の在庫管理ページを通じて入力された前記販売者の情報を受信する段階と、受信された前記販売者の情報が認証されれば、前記販売者の販売商品情報を提供する段階と、前記販売者によって選択された販売商品の在庫を品切れとして処理するか、または品切れ解除として処理する段階とを含む。
【００１９】
本発明の一態様によるモバイル在庫管理サービスシステムは、販売者の移動通信端末機から伝送された情報を基礎にして前記販売者の商品に対する在庫を管理する在庫管理サーバーを含み、前記在庫管理サーバーは、前記販売者の移動通信端末機から伝送された前記販売者の商品情報を含む文字メッセージを受信する受信部と、販売者情報、販売商品及び前記販売商品に対する在庫状態を含むデータベースと、前記受信部に受信された前記販売者の商品情報に相当する前記販売者の商品を前記データベースから検出し、検出された前記販売者の商品に対する在庫状態を品切れとして処理するか、または品切れ解除として処理する管理部とを含む。
【００２０】
本発明の他の態様によるモバイル在庫管理サービスシステムは、ワップ（ＷＡＰ）ページを利用したモバイル在庫管理サービスシステムにおいて、前記ワップを通じて販売者の商品に対する在庫を管理する在庫管理ページを提供する在庫管理サーバーを含み、前記在庫管理サーバーは、前記ワップを通じて前記販売者の移動通信端末機に前記在庫管理ページを提供し、前記在庫管理ページを通じて入力された前記販売者の情報を受信し、前記販売者の情報が認証されれば、前記販売者の販売商品情報を提供し、前記販売者によって選択された販売商品の在庫を品切れとして処理するか、または品切れ解除として処理することを特徴とする。
【発明の効果】
【００２１】
本発明による移動通信端末機を利用したモバイル在庫管理サービス方法及びそのシステムによれば、販売者の移動通信端末機を利用して販売者によってオンラインマーケットプレースに登録された商品の在庫状態をリアルタイムで管理することができる効果がある。
【００２２】
また、本発明は、販売者が販売商品に対する在庫状態を移動通信端末機を利用してリアルタイムで管理するようにすることで、オンライン上に登録された販売商品の在庫数量の間違いによって発生し得る購買者の超過購買を防止し、販売者の信頼度を向上させることができる効果がある。
【００２３】
また、本発明は、販売商品の在庫数量の間違いによって発生し得る購買者の超過購買を防止することによって、販売者及び購買者の不便さを事前に防止することができる効果がある。
【図面の簡単な説明】
【００２４】
【図１】本発明の一実施例に係るモバイル在庫管理サービスシステムを示す構成図である。
【図２】図１に示された在庫管理サーバーの一実施例の構成を示すブロック図である。
【図３】販売者の移動通信端末機から在庫管理サーバーに伝送される短文メッセージの一例示図である。
【図４】販売者の移動通信端末機から在庫管理サーバーに伝送される短文メッセージの他の例示図である。
【図５】在庫管理サーバーから販売者の移動通信端末機に伝送される短文メッセージの一例示図である。
【図６】ワップを通じて販売商品の在庫管理を行う家庭を示す一例示図である。
【図７】本発明の一実施例に係るモバイル在庫管理サービス方法を示す動作流れ図である。
【図８】本発明の他の実施例に係るモバイル在庫管理サービス方法を示す動作流れ図である。
【図９】本発明のさらに他の実施例に係るモバイル在庫管理サービス方法を示す動作流れ図である。
【発明を実施するための形態】
【００２５】
上記目的以外に、本発明の他の目的及び特徴は、添付の図面を参照とした実施例の詳細な説明から自明になるだろう。
【００２６】
以下、添付の図面及び添付の図面に記載された内容を参照して本発明の好ましい実施例を詳細に説明するが、本発明が下記実施例に限定されるわけではない。
【００２７】
本発明の詳細な説明に先立って、本発明での移動通信端末機は、セルラーフォン（Cellular phone）、デジタル携帯電話（PCS phone: Personal Communications Services phone）及び同期式／非同期式ＩＭＴ−２０００（International Mobile Telecommunication-2000）端末機だけでなく、移動通信サービスを利用して文字メッセージを伝送したり、ワップ（ＷＡＰ）を利用してモバイルで販売商品に対する在庫管理サービスを提供するサーバーに接続することができる個人用デジタル補助機（PDA: Personal Digital Assistant）、スマートフォン（Smart phone）、ワップフォン（WAP phone: Wireless application protocol phone)及びモバイルゲーム機（mobile play-station)などのすべての通信装置を包括する。
【００２８】
図１は、本発明の一実施例に係るモバイル在庫管理サービスシステムを示す構成図である。
【００２９】
図１を参照すれば、モバイル在庫管理サービスシステムは、移動通信端末機１１０及び在庫管理サーバー１２０を含む。
【００３０】
移動通信端末機１１０は、オンラインマーケットプレースに販売商品を登録した販売者の移動通信端末機であって、在庫管理サーバー１２０に保存された販売者の販売商品に対する在庫状態を管理することができるように在庫管理のための文字メッセージを移動通信網を通じて在庫管理サーバー１２０に伝送するか、ワップを通じて在庫管理サーバー１２０に接続し、在庫管理サーバー１２０で提供する在庫管理ページを通じて販売商品に対する在庫状態を管理する。
【００３１】
すなわち、販売者は、本人の移動通信端末機を利用して登録された販売商品に対する在庫状態をリアルタイムで管理することができるが、文字メッセージを利用して在庫状態を管理する方法と、ワップを通じて在庫管理サーバー１２０で提供する在庫管理ページを利用して在庫状態を管理する方法があり得る。
【００３２】
勿論、移動通信端末機１１０で商品の在庫状態を管理するための方法によって、在庫管理サーバー１２０で商品の在庫状態を処理する方法が変わることは自明である。
【００３３】
ここで、オンラインマーケットプレースは、在庫管理サーバー１２０にアップロードされて運営されることができ、他のサーバー、例えば、オンラインマーケットサーバーにアップロードされて運営されることもできるが、これに関する説明は、本発明の要旨を不明にすることができるので省略し、本発明での在庫管理サーバー１２０は、オンラインマーケットプレースに登録された販売者と関連されたすべての情報を管理するためのサーバーを意味する。
【００３４】
この時、移動通信端末機１１０から在庫管理サーバー１２０に伝送される文字メッセージは、オンラインマーケットプレースに登録された販売者のＩＤ及び氏名を含むか、または、認証番号及び販売商品番号を含むか、販売者のＩＤ及び販売商品番号を含むことができる。
【００３５】
一例として、移動通信端末機１１０は、在庫管理のために既設定された代表番号、例えば、「０１３−ＸＸＸＸ−ＸＸＸＸ」を着信番号にして販売者によって入力された販売者のＩＤ及び氏名を含む文字メッセージを伝送し、在庫管理サーバー１２０から認証番号を含む文字メッセージが受信されれば、受信された認証番号及び販売者の商品番号を含む文字メッセージを着信番号を代表番号にして伝送することによって、在庫管理サーバー１２０で商品番号に相当する販売者の商品に対する在庫状態を管理する。
【００３６】
他の例として、移動通信端末機１１０は、代表番号を着信番号にして販売者のＩＤ及び販売商品番号を含む文字メッセージを在庫管理サーバー１２０に伝送することによって、在庫管理サーバー１２０で文字メッセージに含まれた情報を基礎にして販売者に対する認証過程を経た後、販売商品番号に相当する商品に対する在庫状態を管理する。
【００３７】
また、移動通信端末機１１０は、在庫管理サーバー１２０で提供する在庫管理ページをワップを通じて提供されることができるが、在庫管理サーバー１２０に接続するための１つの方法としては、ＷＩＮＣ（Wireless Internet Number of Contents）サービスを利用して接続することができるが、これに限定されるものではない。例えば、ワップを通じて在庫管理サーバー１２０で提供するサイトに接続することができる設定番号（例えば、１４９、１２３、２４９、３２４など）が入力された後、ワップ連結ボタン（Ｎａｔｅ／ＭａｇｉｃＮ／ｅｚ−Ｉ）が入力されれば、移動通信端末機１１０はワップを通じて在庫管理ページに自動連結される。
【００３８】
在庫管理サーバー１２０は、販売者の移動通信端末機１１０を通じて伝送される情報を基礎にして販売者の商品番号に相当する商品の在庫状態を管理する。
【００３９】
ここで、在庫管理サーバー１２０は、既設定された代表番号に受信される文字メッセージの内容を検出し、その検出された内容を基礎にして販売商品の在庫状態、例えば、品切れ処理、在庫数量調整及び品切れ解除などを管理することができ、ワップを通じて接続された場合、在庫管理ページを移動通信端末機１１０に提供した後、販売者の動作によって販売商品の在庫状態を管理することもできる。
【００４０】
すなわち、在庫管理サーバー１２０は、販売者の移動通信端末機１１０から着信番号を代表番号にする、内容が一定のフォーマットを有する文字メッセージが受信されれば、その受信された文字メッセージの内容を基礎にして販売者の認証を行った後、販売者の販売商品に対する在庫状態を管理するか、または、販売者の移動通信端末機１１０がＷＩＮＣサービスまたは一定の手順による動作によってＷＡＰを通じて接続されれば、販売者の移動通信端末機１１０に在庫管理ページを提供し、販売者の選択によって販売商品の在庫状態を管理する。
【００４１】
一例として、在庫管理サーバー１２０は、代表番号として販売者のＩＤ及び氏名を含む文字メッセージが受信されれば、その受信された販売者のＩＤ及び氏名を検出し、検出された販売者のＩＤ及び氏名とデータベースに既保存されたされた販売者の情報とを比較した後、一致すれば、認証番号を生成し、販売者の移動通信端末機１１０に伝送し、伝送された認証番号及び販売者の販売商品番号を含む文字メッセージが受信されれば、その受信された認証番号及び伝送された認証番号の一致可否で販売者の認証を行い、販売者が認証された場合、販売者の販売商品番号に相当する販売商品の在庫状態を管理することができるが、販売商品の在庫状態を品切れ処理、品切れ解除及び数量調節のうちいずれか１つで処理することができる。
【００４２】
この時、在庫管理サーバー１２０は、販売者のＩＤ及び氏名だけでなく、発信番号が一致する場合、認証番号を生成して伝送することもできる。
【００４３】
ここで、在庫管理サーバー１２０は、データベースに設定された販売商品の在庫状態が品切れである場合、品切れ解除させ、品切れではない場合、品切れとして処理することができ、受信された文字メッセージが販売商品の設定数量を含む場合には、在庫状態を設定数量として処理することができる。勿論、在庫状態の処理は、品切れ処理、品切れ解除及び数量調節によってそれぞれ設定された文字メッセージのフォーマットによって変わることができるが、これに限定されるものではない。
【００４４】
ここで、在庫管理サーバー１２０は、品切れ処理、品切れ解除及び数量調節にそれぞれ相当する代表番号、例えば、品切れ処理代表番号は「０１３−ＸＸＸＸ−ＸＸＸＸ」、品切れ解除代表番号は「０１３−００００−００００」、数量調節代表番号は「０１３−ＸＸ００−００ＸＸ」に設定し、受信された文字メッセージの着信番号を基礎にして販売商品の品切れ処理、品切れ解除及び数量調節などの在庫状態を処理することもできる。
【００４５】
他の例として、在庫管理サーバー１２０は、代表番号として販売者のＩＤ及び商品番号を含む文字メッセージが受信されれば、その受信された販売者のＩＤまたは／及び発信番号を基礎にして販売者の認証を行い、販売者が認証されれば、販売者の商品番号に相当する販売商品を検出し、在庫状態を管理することができる。
【００４６】
さらに他の例として、在庫管理サーバー１２０は、ワップを通じて販売者の移動通信端末機１１０が接続されれば、在庫管理ページを提供し、販売者の認証を経た後、販売商品に対する在庫状態を販売者によって管理されることができるようにする。ここで、販売者の認証は、在庫管理ページに入力された販売者のＩＤ及びパスワードと在庫管理サーバー１２０に既保存された販売者のＩＤ及びパスワードとを比較することによって行われることができる。
【００４７】
このように、販売者は、文字メッセージまたはワップを通じて在庫管理サーバー１２０に保存された販売者の販売商品に対する在庫をリアルタイムで管理することができるので、在庫数量の間違いによる購買者の超過購買を防止することができ、オンラインマーケットプレースに販売商品の在庫数量を正確に表示することによって、購買者に販売商品を早く配送することができると共に、販売者の信用度をも高めることができる。
【００４８】
図２は、図１に示された在庫管理サーバーの一実施例の構成を示すブロック図である。
【００４９】
図２を参照すれば、在庫管理サーバー１２０は、受信部２１０、管理部２２０、データベース２３０及び送信部２４０を含む。
【００５０】
受信部２１０は、販売者の移動通信端末機から伝送された文字メッセージを受信するか、またはワップを通じて入力された情報、例えば、販売者の認証情報、販売商品検索情報などを受信する。
【００５１】
ここで、受信部２１０は、図３（ａ）に示されたように、販売者のＩＤ３１０である「ｔｅｓｔｏｋ」及び氏名３２０である「テスト販売者」を含む文字メッセージを受信するか、または、図３（ｂ）に示されたように、認証番号３５０である「１１１１」及び販売商品番号３６０である「１２３４５６７８９」を含む文字メッセージを受信するか、または、図４に示されたように、販売者のＩＤ４１０である「ｔｅｓｔｏｋ」及び販売商品番号４２０である「１２３４５６７８９」を含む文字メッセージを受信することができるが、受信される文字メッセージの着信番号は、在庫管理のために既設定された代表番号であることが好ましい。すなわち、図３及び図４に示されたように、文字メッセージの着信番号３４０、３８０、４４０に入力される番号が代表番号であることが好ましい。勿論、文字メッセージの発信番号３３０、３７０、４３０は、販売者の電話番号であることが好ましい。
【００５２】
データベース２３０は、販売者と関連された情報を保存し、販売者関連情報としては、販売者のＩＤ、氏名、電話番号、販売商品番号、販売商品の在庫数量、販売商品情報、販売者の信用度及び販売商品発信地などを含むことができる。
【００５３】
また、データベース２３０は、販売者の移動通信端末機に認証番号が伝送される場合、伝送される認証番号を一定時間保存することもできる。
【００５４】
送信部２４０は、管理部２２０の制御によって所定の内容を含む文字メッセージを販売者の移動通信端末機に伝送するか、ワップを通じて在庫管理サーバーに接続した移動通信端末機に在庫管理ページを伝送する。
【００５５】
ここで、送信部２４０を通じて販売者の移動通信端末機に伝送される文字メッセージは、図５（ａ）に示されたように、認証番号を含むか、図５（ｂ）に示されたように、販売商品の在庫数量に対する結果内容を含むことができ、図５（ｃ）に示されたように、販売者の認証失敗に対する内容を含むことができる。在庫数量に対する結果内容としては、品切れ処理、品切れ解除及び変更された在庫数量のうちいずれか１つを含むことができる。
【００５６】
管理部２２０は、受信部２１０に受信された文字メッセージの内容を検出し、検出された文字メッセージ内容を基礎にして販売者の販売商品に対する在庫状態、例えば、品切れ処理、品切れ解除及び在庫数量調節などを管理する。
【００５７】
この時、管理部２２０は、受信された文字メッセージの着信番号が在庫管理のための代表番号である場合、文字メッセージ内容を検出することが好ましい。
【００５８】
管理部２２０によって検出される文字メッセージ内容としては、図３及び図４に示されたように、販売者のＩＤ及び氏名であるか、認証番号及び販売商品番号であるか、販売者のＩＤ及び販売商品番号のうちいずれか１つであることができる。
【００５９】
一例として、管理部２２０によって検出された文字メッセージ内容が図３（ａ）に示されたように、販売者のＩＤ及び氏名である場合、管理部２２０は、データベース２３０に保存された販売者の情報のうち販売者のＩＤ及び氏名と比較し、２つの情報が一致すれば、認証番号を生成した後、図５（ａ）に示されたように、生成された認証番号を含む文字メッセージを伝送部２４０を通じて販売者の移動通信端末機に伝送し、この時、生成された認証番号は、データベース２３０に保存され、その後、販売者の移動通信端末機から図３（ｂ）に示されたように、認証番号及び販売商品番号を含む文字メッセージが受信されれば、受信された認証番号とデータベース２３０に保存された認証番号とを比較し、比較結果、２つの認証番号が一致すれば、販売商品番号に相当する販売商品をデータベース２３０から検出し、検出された販売商品の在庫状態を品切れとして処理する。この時、検出された販売商品の在庫状態が品切れに設定されている場合、管理部２２０は、在庫状態を品切れ解除状態に設定するか、または販売者によって既設定された一定数量に設定することもでき、設定されることができる一定数量は、販売者がオンラインマーケットプレースに販売商品を登録する時に設定された値であるか、または、販売商品番号に対する文字メッセージ伝送時に文字メッセージに含まれている変更数量値であってもよい。
【００６０】
追加的に、管理部２２０は、販売者のＩＤ及び氏名の比較だけでなく、文字メッセージの発信番号と販売者の電話番号とを比較し、両者が一致する場合、認証番号を含む文字メッセージを販売者の移動通信端末機に伝送することもでき、文字メッセージによる販売者の認証が失敗するか、または販売者の販売商品に対する在庫状態が変更されれば、これに対する結果メッセージ、すなわち認証失敗メッセージ（図５（ｃ））または在庫状態変更結果メッセージ（図５（ｂ））を販売者の移動通信端末機に伝送する。
【００６１】
また、販売者によって入力されたホットナンバー（hot no.)がワップを通じて受信部２１０に受信されれば、すなわち在庫管理サーバーに接続することができるサービス、例えば、ＷＩＮＣサービスが販売者の移動通信端末機で行われ、受信部２１０にこれに対する情報が受信されれば、管理部２２０は、販売者の販売商品に対する在庫を管理することができる在庫管理ページをワップを通じて販売者の移動通信端末機に提供する。
【００６２】
管理部２２０は、在庫管理ページをワップを通じて提供した後、販売者のＩＤ及びパスワードが受信されれば、すなわち在庫管理ページを通じて販売者のＩＤ及びパスワードが入力されれば、入力された販売者のＩＤ及びパスワードをもって販売者の認証過程を行い、販売者が認証されれば、販売者の販売商品情報をワップを通じて提供することによって、販売者が販売商品に対する在庫管理を行うようにする。
【００６３】
勿論、管理部２２０は、ワップを通じて入力された販売者のＩＤ及びパスワードと共に、販売者の電話番号を基礎にして販売者の認証過程を行うこともできる。
【００６４】
このように管理部２２０は、文字メッセージまたはワップを通じて入力された販売者の情報を基礎にして品切れ処理、品切れ解除及び在庫数量調節などのように販売商品の在庫状態をリアルタイムで管理することによって、在庫数量の間違いによる購買者の販売商品の追加購買を事前に防止することができる。
【００６５】
図６を参照して、在庫管理サーバー１２０がワップを通じて提供する在庫管理サービスについて説明する。
【００６６】
販売者の移動通信端末機がワップを通じて在庫管理サーバー１２０に接続すれば、販売者のＩＤ（例えば、ＧマーケットＩＤ）及びパスワード入力窓を含むページを提供し、販売者によってＩＤ及びパスワードが入力されれば、データベース２３０に既保存された販売者のＩＤ及びパスワードと比較し、販売者の認証過程を行う。
【００６７】
ここで、図６に示されたように、販売者の選択によってＩＤ保存、パスワード保存及び自動ログイン機能などを提供することができ、自動ログイン機能は、販売者によって一定の時間、例えば、一ヶ月間接続がなされていない場合、自動解除されるように設定することもできる。
【００６８】
販売者認証が成功すれば、販売者によって登録された販売商品を検索することができるページを提供し、販売者が販売商品をカテゴリー、商品名及び商品番号のうち少なくともいずれか１つを用いて検索することができるようにする。勿論、上述した項目以外の他の項目でも販売商品を検索することもできる。
【００６９】
販売者の販売商品が検索されれば、検索された販売商品リストを提供し、販売商品リストのうち在庫状態を管理するための商品を選択すれば、選択された販売商品に対する詳細情報及び在庫状態を管理することができる項目が表示される。
【００７０】
この時、表示される販売商品リストは、一定個数単位で表示することができるが、販売商品に対する簡略な情報を一緒に表示することもできる。
【００７１】
たとえ、図６では、在庫状態を管理することができる項目として品切れ処理項目が表示されたが、これに限定されず、品切れ処理、品切れ解除及び在庫数量変更などの様々な項目が表示されることもできる。
【００７２】
このように本発明は、ワップを利用したモバイル在庫管理サービスを提供することによって、販売者は、移動通信端末機を利用して販売商品の在庫状態をリアルタイムで管理することができる。
【００７３】
また、本発明によるモバイル在庫管理サービスシステムは、モバイルを利用して販売者の販売商品に対する在庫を管理することができるが、モバイル上で管理された販売者の在庫状態は、オンラインマーケットプレースに直接反映されるので、オンラインマーケットプレースに有線または無線インターネットを利用して接続した後、確認可能であり、モバイルを通じて反映された在庫数量が表示されるので、購買者による商品の超過購買を防止することができる。
【００７４】
図７は、本発明の一実施例に係るモバイル在庫管理サービス方法を示す動作流れ図であって、在庫管理サーバーから移動通信端末機に認証番号を伝送する場合に関するものである。
【００７５】
図７を参照すれば、モバイル在庫管理サービス方法は、在庫管理サーバーが販売者の移動通信端末機から伝送され、販売者のＩＤ及び氏名を含む短文メッセージ（ＳＭＳ）を受信すれば、受信された短文メッセージの着信番号が在庫管理のために既設定された代表番号であるかを判断する。
【００７６】
判断結果、着信番号が代表番号なら、短文メッセージの発信番号が販売者のＩＤ及び氏名に相当する販売者の電話番号と一致するか否かを判断する。
【００７７】
発信番号と販売者の電話番号が一致すれば、販売者の移動通信端末機に伝送する認証番号を生成し、その生成された認証番号をデータベースに保存する。
【００７８】
すなわち、在庫管理サーバーは、短文メッセージの着信番号が代表番号であると同時に、発信番号が販売者の電話番号である場合に認証番号を生成する。
【００７９】
しかし、認証番号の生成をこれに限定せず、着信番号が代表番号である場合、認証番号を生成することもでき、着信番号が代表番号であり且つ販売者のＩＤ及び氏名が在庫管理サーバーに具備されたデータベースに存在する場合、認証番号を生成することもできる。
【００８０】
勿論、着信番号が代表番号ではないか、発信番号が販売者の電話番号でない場合には、在庫管理サービス機能を終了する。
【００８１】
在庫管理サーバーは、生成された認証番号を含む短文メッセージを販売者の移動通信端末機に伝送し、認証番号を伝送した後、販売者の移動通信端末機から認証番号及び販売商品番号を含む短文メッセージが受信されれば、受信された認証番号を検出した後、検出された認証番号とデータベースに保存された認証番号を比較し、販売者認証過程を行う。
【００８２】
２つの認証番号が一致すれば、短文メッセージに含まれた販売商品番号に相当する販売商品をデータベースから検出し、その検出された販売商品の在庫状態が品切れ状態なのか否かを判断する。すなわちデータベースに保存された販売商品に対する在庫状態項目を通じて販売商品が品切れなのか否かを判断する。
【００８３】
一方、２つの認証番号が一致しなければ、販売者の認証失敗に対する内容を含む短文メッセージを生成し、販売者の移動通信端末機に伝送することによって、販売者が認証が失敗したことが分かるようにする。
【００８４】
ここで、販売商品番号に相当する販売商品がデータベースに保存されていなければ、これに対する文字メッセージ、すなわち販売商品未登録などのような内容を含む文字メッセージを販売者の移動通信端末機に伝送することもできる。
【００８５】
在庫管理サーバーは、販売商品が品切れ状態なら、販売商品の品切れ状態を解除し、販売商品が品切れ状態でなければ、在庫状態を品切れ処理する。
【００８６】
販売商品の在庫状態が変更されれば、在庫管理サーバーは、在庫状態の変更、例えば、品切れ処理または品切れ解除に対する結果を含む短文メッセージを販売者の移動通信端末機に伝送し、在庫状態変更に対する結果を販売者が分かるようにする。
【００８７】
勿論、図７で、販売商品に対する品切れ処理及び品切れ解除に対する場合にだけ示されたが、これに限定せず、在庫数量を販売者が一定個数に直接設定することもできる。例えば、認証番号及び商品番号を含む短文メッセージの伝送時に、短文メッセージに変更しようとする在庫数量に対する値を含んで伝送すれば、在庫管理サーバーで販売商品の在庫状態を短文メッセージに含まれた在庫数量値に変更することによって、販売者によって設定された値に在庫状態を変更することができ、これに対する短文メッセージフォーマットは、在庫管理サービス提供者によって決定されることができる。
【００８８】
図８は、本発明の他の実施例に係るモバイル在庫管理サービス方法を示す動作流れ図であって、在庫管理サーバーで短文メッセージに含まれた情報を基礎にして販売者認証過程を行う場合に関するものである。
【００８９】
図８を参照すれば、モバイル在庫管理サービス方法は、在庫管理サーバーが販売者の移動通信端末機から伝送された販売者のＩＤ及び販売商品番号を含む短文メッセージ（ＳＭＳ）を受信すれば、受信された短文メッセージの着信番号が代表番号なのか否かを判断する。
【００９０】
判断結果、着信番号が代表番号なら、短文メッセージの発信番号が販売者のＩＤ及び氏名に相当する販売者の電話番号と一致するか否かを判断する。
【００９１】
発信番号と販売者の電話番号が一致すれば、販売者に対する認証が成功したものと判断し、短文メッセージに含まれた販売商品番号に相当する販売商品をデータベースから検出し、その検出された販売商品の在庫状態が品切れ状態なのか否かを判断する。
【００９２】
勿論、着信番号が代表番号でないか、発信番号が販売者の電話番号でない場合には、在庫管理サービス機能を終了する。
【００９３】
この時、販売者に対する認証は、短文メッセージに含まれた販売者のＩＤがデータベースに保存された販売者情報に存在する場合に認証成功として判断し、販売商品を検出することもできる。すなわち、販売者に対する認証は、販売者のＩＤ及び発信番号のうち少なくともいずれか１つを通じて行われることが好ましい。
【００９４】
在庫管理サーバーは、販売商品が品切れ状態なら、販売商品の品切れ状態を解除し、販売商品が品切れ状態でなければ、在庫状態を品切れ処理する。
【００９５】
図８でも、図７で説明したように、販売商品に対する品切れ処理及び品切れ解除に対する場合にのみ限定せず、在庫数量を販売者が一定個数に直接設定することもできる。
【００９６】
図７及び図８で詳細に説明したように、本発明によるモバイル在庫管理サービス方法は、販売者の移動通信端末機から伝送された短文メッセージを利用して短文メッセージに含まれた販売者のＩＤ、認証番号、発信番号のうち少なくともいずれか１つを利用して販売者を認証した後、短文メッセージに含まれた販売商品に対する在庫状態をリアルタイムで管理することができる。
【００９７】
たとえ、図７及び図８において販売者の情報を伝達する文字メッセージを短文メッセージに限定したが、これに限定されず、長文メッセージ（ＬＭＳ）及びマルチメディアメッセージ（ＭＭＳ）などのように在庫管理に対する情報を取り交わすことができるすべての文字メッセージを含むことができる。
【００９８】
図９は、本発明のさらに他の実施例に係るモバイル在庫管理サービス方法を示す動作流れ図であって、販売者の販売商品に対する在庫をワップを利用して管理しようとするものである。
【００９９】
図９を参照すれば、在庫管理サーバーは、販売者の移動通信端末機がワップを通じて接続されれば、すなわち販売者がＷＩＮＣサービスなどを利用して販売者の移動通信端末機で在庫管理サーバーに接続すれば、販売商品に対する在庫を管理することができる在庫管理ページをワップを通じて販売者の移動通信端末機に提供する。
【０１００】
在庫管理ページに含まれた販売者の認証を行うための入力窓、例えば、販売者のＩＤ及びパスワード入力窓を通じて販売者のＩＤ及びパスワードが入力されれば、その入力された販売者のＩＤ及びパスワードとデータベースに保存された販売者情報のうちＩＤ及びパスワードを比較し、販売者の認証過程を行う。すなわち、販売者のＩＤ及びパスワードが一致すれば、販売者が認証されたものとして判断し、そうではない場合、販売者の認証が失敗したものと判断する。
【０１０１】
販売者の認証が失敗すれば、認証失敗に対する情報をワップを通じて販売者の移動通信端末機に伝送し、販売者の認証が成功すれば、販売者によって登録された販売商品を検索することができる商品検索ページを提供する。
【０１０２】
販売者は、提供された商品検索ページを利用して登録された販売商品名、販売商品番号などを利用して在庫状態を管理するための販売商品を検索する。
【０１０３】
検索された販売商品を選択すれば、選択された販売商品の在庫状態が自動的に品切れ処理に切り替えられることができ、選択された販売商品に対する情報、品切れ処理、品切れ解除などのような項目のうち在庫関連項目を選択されて在庫状態を管理することもできる。
【０１０４】
本明細書で開示された方法及びシステムで使用される機能は、コンピューターで読み取り可能な記録媒体にコンピューターが読み出すことができるコードで具現することが可能である。コンピューターで読み取り可能な記録媒体は、コンピューターシスムによって読み出されることができるデータが格納されるすべての種類の記録装置を含む。コンピューターで読み取り可能な記録媒体の例としては、ＲＯＭ、ＲＡＭ、ＣＤ−ＲＯＭ、磁気テープ、フロッピー（登録商標）ディスク、光データ格納装置などが挙げられ、また、キャリアウエーブ（例えばインターネットを介した伝送）の形態で具現されるものをも含む。また、コンピューターで読み取り可能な記録媒体は、ネットワークで連結されたコンピューターシステムに分散され、分散方式でコンピューターが読み出すことができるコードが保存され、実行されることができる。
【０１０５】
以上のように、本発明は、たとえ限定された実施例と図面によって説明されたが、本発明は、上記実施例に限定されるものではなく、本発明の属する分野における通常の知識を有する者ならこのような記載から多様な修正及び変形が可能である。それで、本発明の範囲は、説明された実施例に限定されて定められるべきではなく、後述する特許請求範囲だけでなく、この特許請求範囲と均等なものなどによって定められるべきである。
【符号の説明】
【０１０６】
１１０  移動通信端末機
１２０  在庫管理サーバー
２１０  受信部
２２０  管理部
２３０  データベース（ＤＢ）
２４０  送信部
【図１】
0005149210.tif 000002
【図２】
0005149210.tif 000003
【図３】
0005149210.tif 000004
【図４】
0005149210.tif 000005
【図５】
0005149210.tif 000006
【図６】
0005149210.tif 000007
【図７】
0005149210.tif 000008
【図８】
0005149210.tif 000009
【図９】
0005149210.tif 000010